(57)【要約】  本発明は、映像表示部における表示不良の抑制と、映像表示部及び透過部における表示品位の向上と、透過部における視認性の向上と、長期信頼性の向上とが可能な液晶表示装置を提供することを目的とする。  本発明は、液晶表示パネルを備える液晶表示装置であって、前記液晶表示パネルは、前記液晶表示パネルの後方の視認が可能な透過部（６Ｂ）と、複数の画素を含み、映像の表示が可能な映像表示部（６Ａ）と、前記映像表示部（６Ａ）に対応して設けられた第一液晶層（５Ａ）と、前記透過部（６Ｂ）に対応して設けられた第二液晶層（５Ｂ）と、前記第二液晶層（５Ｂ）を囲むシール（５２）とを含み、前記第一液晶層（５Ａ）及び前記第二液晶層（５Ｂ）は、前記シール（５２）によって隔てられる。
2015045694.tif 000002
【特許請求の範囲】
【請求項１】
液晶表示パネルを備える液晶表示装置であって、
前記液晶表示パネルは、前記液晶表示パネルの後方の視認が可能な透過部と、
複数の画素を含み、映像の表示が可能な映像表示部と、
前記映像表示部に対応して設けられた第一液晶層と、
前記透過部に対応して設けられた第二液晶層と、
前記第二液晶層を囲むシールとを含み、
前記第一液晶層及び前記第二液晶層は、前記シールによって隔てられる液晶表示装置。
【請求項２】
前記第二液晶層は、配向していない液晶を含む請求項１記載の液晶表示装置。
【請求項３】
前記第二液晶層は、配向した液晶を含む請求項１記載の液晶表示装置。
【請求項４】
前記液晶表示パネルは、前記第一液晶層及び前記第二液晶層を挟持する一対の基板を含み、
前記一対の基板は各々、前記映像表示部及び前記透過部に設けられた配向膜を含み、
前記配向膜は、前記映像表示部及び前記透過部において同じように配向処理が施されているか、又は、前記映像表示部及び前記透過部おいて配向処理が施されていない請求項３記載の液晶表示装置。
【請求項５】
前記液晶表示パネルは、前記映像表示部に設けられた複数の第一スペーサと、
前記透過部に設けられた複数の第二スペーサとを含み、
前記複数の第二スペーサの配置密度及び／又は接触面積は、それぞれ、前記複数の第一スペーサの配置密度及び／又は接触面積よりも小さい請求項１〜４のいずれかに記載の液晶表示装置。
【請求項６】
前記液晶表示パネルは、前記第一液晶層及び前記第二液晶層を挟持する一対の基板と、
前記映像表示部に設けられた第一スペーサと、
前記透過部に設けられた第二スペーサとを含み、
前記一対の基板の少なくとも一方は、絶縁基板と、前記絶縁基板及び前記第一スペーサの間に設けられた構成部材とを含み、前記絶縁基板及び前記第二スペーサの間には前記構成部材と同じ材料から形成された構成部材を含まない請求項１〜５のいずれかに記載の液晶表示装置。
【請求項７】
前記液晶表示パネルは、前記第一液晶層及び前記第二液晶層を挟持する一対の基板を含み、
前記一対の基板の少なくとも一方の構造は、前記映像表示部及び前記透過部の間で互いに異なる請求項１〜６のいずれかに記載の液晶表示装置。
【請求項８】
前記一対の基板の一方は、カラーフィルタ層、ブラックマトリクス及び対向電極の少なくとも一つを含み、
前記カラーフィルタ層、前記ブラックマトリクス及び前記対向電極の前記少なくとも一つは、前記透過部に設けられずに前記映像表示部に設けられる請求項７記載の液晶表示装置。
【請求項９】
前記液晶表示装置は、前記液晶表示パネルの前面及び背面上にそれぞれ設けられた一対の偏光板を備え、
前記一対の偏光板の少なくとも一方は、前記透過部に重ならず、かつ、前記映像表示部に重なるように設けられる請求項１〜８のいずれかに記載の液晶表示装置。
【請求項１０】
前記一対の偏光板の両方は、前記透過部に重ならず、かつ、前記映像表示部に重なるように設けられる請求項９記載の液晶表示装置。
【発明の詳細な説明】
【技術分野】
【０００１】
本発明は、液晶表示装置に関する。より詳しくは、スロットマシン等の遊技機用の表示装置に好適な液晶表示装置に関するものである。
【背景技術】
【０００２】
液晶表示装置は、軽量、薄型、低消費電力等の特徴を生かして、パーソナルコンピュータ等のＯＡ機器や情報端末機器等の表示装置として各種分野で利用されている。近年では、液晶表示装置は、スロットマシン等の遊技機にも利用されている。遊技機用の液晶表示装置は、例えば、遊技機の筐体の正面に設けられている。【０００３】
遊技機用の液晶表示装置が備える液晶表示パネルは、映像を表示可能な映像表示部を有し、基本的には通常用途のものと同一の構造を有するが、映像表示部の中央に透過部を有している。例えば、そのような液晶表示装置を備えるスロットマシンでは、遊技者は、外部から透過部を通して筐体の内部に収納された回転リールを視認することができる。【０００４】
以下、液晶表示パネルの透過部を通して観察者が視認可能な物体を表示物とも言う。表示物は、液晶表示装置及び液晶表示パネルの後方に配置されている。【０００５】
遊技機用の液晶表示装置又は遊技機に関して、例えば、以下のものが開示されている。【０００６】
回転リールの前面側に配置された透過型の液晶表示パネルと、液晶表示パネル及び回転リールの間に配置され、液晶表示パネルをその背面側から照明するバックライトとを備えた液晶表示装置であって、液晶表示パネルは、一対の基板間に液晶材料が封入され映像を表示可能に構成された映像表示部と、回転リールに対向する液晶材料が未封入の透過部とを有する液晶表示装置が開示されている（例えば、特許文献１参照。）。【０００７】
可変表示する表示媒体の前面側に配置された透過型の液晶表示パネルと、液晶表示パネルの外面にそれぞれ配置された一対の偏光板とを備えた液晶表示装置であって、液晶表示パネルは、映像を表示可能に構成された映像表示部と、表示媒体が配置される領域に対応するほぼ矩形状の透過表示部と、映像表示部及び透過表示部の間に配置された遮光部とを有し、一対の偏光板のそれぞれは、表示媒体が配置される領域に対応してほぼ矩形状の開口部を有し、開口部を規定するエッジが液晶表示パネルの遮光部上に位置する液晶表示装置が開示されている（例えば、特許文献２参照。）。【０００８】
スロット表示を用いた遊技機の前面化粧板に液晶表示器を用いるにあたって、略中央部の複数の透光部上を被う偏光板部分の偏光特性を無くした開口部を形成する技術が開示されている（例えば、特許文献３参照。）。【０００９】
演出用パネル部に液晶ディスプレイパネルを設け、液晶ディスプレイパネルに形成されている表示窓の裏面側にサブリールを備えたサブリール装置を配設し、演出用パネル部の上方にメインリールを有するメインリール装置を配置したスロットマシンが開示されている（例えば、特許文献４〜６参照。）。【００１０】
また、所定パターンの着色層を形成した固定表示部を有する液晶表示装置が開発されており、例えば、液晶セルと、液晶セルの前側及び後側の少なくとも一方に設けられた偏光部材と、前側偏光部材の前方に設けられた第１の透光性基板と、第１の透光性基板に形成された第１の透光性着色層からなる固定表示部と、偏光部材の少なくとも一方の固定表示部に対応する個所を除いた偏光部材除去部とを有する液晶表示装置が開示されている（例えば、特許文献７参照。）。
【先行技術文献】
【特許文献】
【００１１】
【特許文献１】特開２００７−１２７９４０号公報
【特許文献２】特開２００６−３４３７２８号公報
【特許文献３】特開２００４−１０５６１６号公報
【特許文献４】特開２００５−５２１９５号公報
【特許文献５】特開２００５−５２１９６号公報
【特許文献６】特開２００５−５２１９８号公報
【特許文献７】特開平９−２６５０８７号公報
【発明の概要】
【発明が解決しようとする課題】
【００１２】
しかしながら、後方に配置されたメーターや回転リール等の別の表示物を液晶表示パネルの透過部を通して視認できる構造を有する液晶表示装置において、透過部の透過率を向上して後方の表示物の視認性を良くするために、透過部に対応して偏光板に開口部を形成すると、透過部周辺において映像表示部にシミ、ムラ等の表示不良が発生する。【００１３】
この理由は、以下の通りである。すなわち、偏光板には紫外光を遮光する機能があるため、映像表示部の液晶には紫外光は照射されない。しかしながら、透過部に対応して偏光板に開口部を形成すると、外光に含まれる紫外光、及び／又は、後方の表示物用照明の光に含まれる紫外光が透過部の液晶に照射され、透過部の液晶が劣化する。そして、この劣化した液晶が映像表示部にまで拡散し、結果として映像表示部においてシミ、ムラ等の表示不良が発生する。【００１４】
なお、特許文献２の段落［００３９］には、映像表示部付近で表示不良が発生したとしても、映像表示部及び透過部の間に設けられた遮光部によって遮光できることが記載されている。しかしながら、紫外光によって透過部の液晶が劣化すると、長期間の使用において、劣化した液晶が遮光部を超えて映像表示部にまで拡散し、やはりシミ、ムラ等の表示不良が発生し得る。【００１５】
また、特許文献１に記載の液晶表示装置についても改善すべき点があった。まず、特許文献１に記載の液晶表示装置の概要について説明する。図１３は、特許文献１に記載の液晶表示装置に含まれる液晶表示パネルの平面模式図である。【００１６】
図１３に示すように、特許文献１に記載の液晶表示装置は、液晶表示パネル１０２を備え、液晶表示パネル１０２は、一対のアレイ基板１０３及び対向基板１０４と、アレイ基板１０３及び対向基板１０４の間に液晶材料が封入され映像を表示可能に構成された映像表示部１０６Ａと、液晶材料が未封入の透過部１０６Ｂとを有している。映像表示部１０６Ａは、ループ状の第一シール１５１と、第一シール１５１で囲まれた内側に配置されたループ状の第二シール１５２とによって囲まれた領域に形成されており、透過部１０６Ｂは、第二シール１５２によって囲まれた領域に形成されている。【００１７】
そして、特許文献１に記載の液晶表示装置には、下記（１）〜（４）に示す点で改善の余地があった。図１４は、特許文献１に記載の液晶表示装置に含まれる液晶表示パネルの平面模式図である。図１５及び１６は、特許文献１に記載の液晶表示装置に含まれる液晶表示パネルの断面模式図である。【００１８】
（１）第二シール１５２の硬化前、第二シール１５２に透過部１０６Ｂ側からかかる圧力と、第二シール１５２に映像表示部１０６Ａ側からかかる圧力との間に圧力差が発生する。そのため、図１４に示すように、シール不良、例えば第二シール１５２が部分的に切れるシール切れ１５３が発生したり、第二シール１５２が映像表示部１０６Ａ又は透過部１０６Ｂに部分的に吹き出すシール吹き出し１５４が発生したりする。【００１９】
シール切れ１５３が発生すると、第二シール１５２によって液晶材料を一定の領域に封じられなくなり、映像表示部１０６Ａから透過部１０６Ｂに液晶材料が漏れ出す。そのため、映像表示部１０６Ａにおいてセル厚ムラが発生する。また、シール切れ１５３が発生した部分から液晶材料に不純物が侵入して液晶材料が劣化する。したがって、シール切れ１５３は、映像表示部１０６Ａにおけるシミ、ムラ等の表示不良の原因になる。また、透過部１０６Ｂに液晶材料が漏れ出すと、透過部１０６Ｂでは液晶材料は配向しないため、この液晶材料を透過する光に散乱が発生する。したがって、シール切れ１５３は、透過部１０６Ｂの透過率のムラの原因になる。【００２０】
シール吹き出し１５４が発生すると、第二シール１５２の一部が本来の形成領域を超えて広がる。そのため、第二シール１５２が映像表示部１０６Ａに吹き出すと、映像表示部１０６Ａに侵入した第二シール１５２によって、その部分で点灯不良が発生する可能性がある。また、映像表示部１０６Ａの液晶材料に硬化前の第二シール１５２が混入し、液晶材料が劣化する。したがって、シール吹き出し１５４は、映像表示部１０６Ａにおけるシミ、ムラ等の表示不良の原因になる。他方、第二シール１５２が透過部１０６Ｂに広がると、第二シール１５２の広がった部分において透過率のムラの原因になる。【００２１】
（２）図１５に示すように、透過部１０６Ｂの空気層１８０と、各ガラス基板１３１、１４１又は各配向膜１３２、１４４との間における屈折率差に起因して、これらの界面において反射が大きくなり、透過部１０６Ｂの透過率が低下する。また、反射率が高いと透過部１０６Ｂのセル厚ムラに起因してニュートンリングが視認されやすくなり、透過部１０６Ｂの表示品位が低下する。【００２２】
（３）液晶材料の滴下注入と、アレイ基板１０３及び対向基板１０４の貼り合わせとは減圧状態で行われるため、図１６に示すように、透過部１０６Ｂにかかる外気圧（図１６中、白抜き矢印）に対して透過部１０６Ｂのセル内圧が低くなる、すなわち透過部１０６Ｂのセル内圧が負圧になる。このため、透過部１０６Ｂのセル厚が薄くなる。この透過部１０６Ｂのセル厚ムラは、映像表示部１０６Ａのセル厚にも影響を与える場合があり、その場合、映像表示部１０６Ａの表示品位の低下を招く。他方、透過部１０６Ｂのセル厚を保持するためにスペーサを多数配置することも考えられるが、そうすると透過部１０６Ｂの透過率が低下し、透過部における視認性が低下してしまう。【００２３】
（４）透過部１０６Ｂの透過率を向上するために、透過部１０６Ｂおいて、ブラックマトリクス（ＢＭ）、カラーフィルタ等の対向基板１０４の構成部材、及び／又は、画素電極、配線等のアレイ基板１０３の構成部材を削除すると、スペーサの上下における対向基板１０４及び／又はアレイ基板１０３の構成部材の全体の厚みが透過部１０６Ｂと映像表示部１０６Ａとの間で異なることになる。そのため、映像表示部１０６Ａと透過部１０６Ｂでセル厚を均一に保つことができなくなる。また、上述のように透過部１０６Ｂのセル内圧が負圧であるため、構成部材の削減による影響は顕著になる。このため、透過部１０６Ｂのスペーサの上下において対向基板１０４及び／又はアレイ基板１０３の構成部材を削除することができず、透過部１０６Ｂの透過率を向上することができず、透過部１０６Ｂにおける視認性を向上することができない。【００２４】
本発明は、上記現状に鑑みてなされたものであり、映像表示部における表示不良の抑制と、映像表示部及び透過部における表示品位の向上と、透過部における視認性の向上と、長期信頼性の向上とが可能な液晶表示装置を提供することを目的とするものである。
【課題を解決するための手段】
【００２５】
本発明の一態様は、液晶表示パネルを備える液晶表示装置であってもよく、
前記液晶表示パネルは、前記液晶表示パネルの後方の視認が可能な透過部と、
複数の画素を含み、映像の表示が可能な映像表示部と、
前記映像表示部に対応して設けられた第一液晶層と、
前記透過部に対応して設けられた第二液晶層と、
前記第二液晶層を囲むシールとを含んでもよく、
前記第一液晶層及び前記第二液晶層は、前記シールによって隔てられてもよい。
以下、この液晶表示装置を本発明に係る液晶表示装置とも言う。【００２６】
本発明に係る液晶表示装置における好ましい実施形態について以下に説明する。なお、以下の好ましい実施形態は、適宜、互いに組み合わされてもよく、以下の２以上の好ましい実施形態を互いに組み合わせた実施形態もまた、好ましい実施形態の一つである。【００２７】
前記第二液晶層は、配向していない液晶を含んでもよい。【００２８】
前記第二液晶層は、配向した液晶を含んでもよい。【００２９】
この場合、前記液晶表示パネルは、前記第一液晶層及び前記第二液晶層を挟持する一対の基板を含んでもよく、
前記一対の基板は各々、前記映像表示部及び前記透過部に設けられた配向膜を含んでもよく、
前記配向膜は、前記映像表示部及び前記透過部において同じように配向処理が施されているか、又は、前記映像表示部及び前記透過部おいて配向処理が施されていなくてもよい。【００３０】
前記液晶表示パネルは、前記映像表示部に設けられた複数の第一スペーサと、
前記透過部に設けられた複数の第二スペーサとを含んでもよく、
前記複数の第二スペーサの配置密度及び／又は接触面積は、それぞれ、前記複数の第一スペーサの配置密度及び／又は接触面積よりも小さくてもよい。【００３１】
前記液晶表示パネルは、前記第一液晶層及び前記第二液晶層を挟持する一対の基板と、
前記映像表示部に設けられた第一スペーサと、
前記透過部に設けられた第二スペーサとを含んでもよく、
前記一対の基板の少なくとも一方は、絶縁基板と、前記絶縁基板及び前記第一スペーサの間に設けられた構成部材とを含んでもよく、前記絶縁基板及び前記第二スペーサの間には前記構成部材と同じ材料から形成された構成部材を含まなくてもよい。【００３２】
前記液晶表示パネルは、前記第一液晶層及び前記第二液晶層を挟持する一対の基板を含んでもよく、
前記一対の基板の少なくとも一方の構造は、前記映像表示部及び前記透過部の間で互いに異なってもよい。【００３３】
この場合、前記一対の基板の一方は、カラーフィルタ層、ブラックマトリクス及び対向電極の少なくとも一つを含んでもよく、
前記カラーフィルタ層、前記ブラックマトリクス及び前記対向電極の前記少なくとも一つは、前記透過部に設けられずに前記映像表示部に設けられてもよい。【００３４】
前記液晶表示装置は、前記液晶表示パネルの前面及び背面上にそれぞれ設けられた一対の偏光板を備えてもよく、
前記一対の偏光板の少なくとも一方は、前記透過部に重ならず、かつ、前記映像表示部に重なるように設けられてもよい。【００３５】
この場合、前記一対の偏光板の両方は、前記透過部に重ならず、かつ、前記映像表示部に重なるように設けられてもよい。
【発明の効果】
【００３６】
本発明によれば、映像表示部における表示不良の抑制と、映像表示部及び透過部における表示品位の向上と、透過部における視認性の向上と、長期信頼性の向上とが可能な液晶表示装置を実現することができる。
【図面の簡単な説明】
【００３７】
【図１】実施形態１の液晶表示装置の斜視分解模式図である。
【図２】実施形態１の液晶表示装置に含まれる液晶表示パネルの平面模式図である。
【図３】実施形態１の液晶表示装置に含まれる液晶表示パネルの断面模式図である。
【図４】実施形態１の液晶表示装置に含まれるバックライトの斜視分解模式図である。
【図５】実施形態１の液晶表示装置を含む遊技機の断面模式図である。
【図６】実施形態２の液晶表示装置に含まれる液晶表示パネルの断面模式図である。
【図７】実施形態２の液晶表示装置に含まれる液晶表示パネルの平面模式図である。
【図８】実施形態３の液晶表示装置に含まれる液晶表示パネルの断面模式図である。
【図９】実施形態３の液晶表示装置に含まれる液晶表示パネルの断面模式図である。
【図１０】実施形態１〜３の液晶表示装置に含まれる液晶表示パネルの変形例の平面模式図である。
【図１１】実施形態１〜３の液晶表示装置に含まれる液晶表示パネルの変形例の平面模式図である。
【図１２】実施形態１〜３の液晶表示装置に含まれる液晶表示パネルの変形例の平面模式図である。
【図１３】特許文献１に記載の液晶表示装置に含まれる液晶表示パネルの平面模式図である。
【図１４】特許文献１に記載の液晶表示装置に含まれる液晶表示パネルの平面模式図である。
【図１５】特許文献１に記載の液晶表示装置に含まれる液晶表示パネルの断面模式図である。
【図１６】特許文献１に記載の液晶表示装置に含まれる液晶表示パネルの断面模式図である。
【発明を実施するための形態】
【００３８】
以下に実施形態を掲げ、本発明を図面に参照して更に詳細に説明するが、本発明はこれらの実施形態のみに限定されるものではない。
【００３９】
（実施形態１）
図１は、実施形態１の液晶表示装置の斜視分解模式図である。図２は、実施形態１の液晶表示装置に含まれる液晶表示パネルの平面模式図である。図３は、実施形態１の液晶表示装置に含まれる液晶表示パネルの断面模式図である。
【００４０】
図１に示すように、本実施形態の液晶表示装置１は、透過型の液晶表示装置であり、略矩形平板状の液晶表示パネル２を備えている。図１〜３に示すように、液晶表示パネル２は、一対の基板、すなわちアレイ基板３及び対向基板４と、これらの間に保持された第一液晶層５Ａ及び第二液晶層５Ｂとを含んでいる。第一液晶層５Ａは、光変調層として機能し得る。また、液晶表示パネル２は、映像表示部６Ａと、透過部６Ｂと、映像表示部６Ａ及び透過部６Ｂの間に配置された遮光部６Ｃとを有している。透過部６Ｂは、液晶表示パネル２の後方に配置された表示物、例えば回転リール７０を視認（目視）できる部分である。映像表示部６Ａは、液晶による映像の表示が可能な部分であり、透過部６Ｂの周囲に設けられ、マトリクス状に配置された複数の画素７を含んでいる。
【００４１】
アレイ基板３は、ガラス基板等の絶縁基板３１と、絶縁基板３１上に形成された構成部材とを含んでいる。アレイ基板３は、構成部材として、行方向に沿って延在する複数の走査線８と、列方向に沿って延在する複数の信号線９と、これら走査線８及び信号線９の交差部付近に画素７毎に配置され、スイッチング素子として機能する薄膜トランジスタ（ＴＦＴ）１０と、ＴＦＴ１０に各々接続された複数の画素電極１１と、これらを覆う配向膜３２とを含んでいる。これらの構成部材は、映像表示部６Ａと透過部６Ｂとに同様のパターンで形成されている。
【００４２】
各ＴＦＴ１０は、対応する走査線８に電気的に接続されるか、又は、対応する走査線８と一体に形成されたゲート電極１０Ｇと、対応する信号線９に電気的に接続されるか、又は、対応する信号線９と一体に形成されたソース電極１０Ｓと、対応する画素電極１１に電気的に接続されたドレイン電極１０Ｄとを有している。
【００４３】
対向基板４は、ガラス基板等の絶縁基板４１と、絶縁基板４１上に形成され、画素７間を遮光するブラックマトリクス（ＢＭ）４２と、絶縁基板４１上であって遮光部６Ｃ内に形成された遮光膜４３と、絶縁基板４１上に形成され、全画素に共通の電圧（信号）を印加する対向電極１２と、これらを覆う配向膜４４とを含んでいる。ＢＭ４２は、映像表示部６Ａと透過部６Ｂとに同様のパターンで形成されており、対向電極１２は、映像表示部６Ａ、透過部６Ｂ及び遮光部６Ｃに切れ目なく一様に形成されている。ただし、対向電極１２は、パターニングされていてもよく、映像表示部６Ａと透過部６Ｂとに同様のパターンで形成されていてもよい。遮光膜４３は、ＢＭ４２と同じ材料から形成されている。
【００４４】
画素電極１１及び対向電極１２は、例えば、ＩＴＯ（インジウム錫酸化物）等の光透過性を有する導電材料から形成されている。なお、対向電極１２は、対向基板４の絶縁基板４１上ではなく、アレイ基板３の絶縁基板３１上に形成されていてもよい。
【００４５】
各配向膜３２、４４は、平面視において、映像表示部６Ａ、遮光部６Ｃ及び透過部６Ｂの全領域を覆うように設けられており、第一及び第二液晶層５Ａ及び５Ｂの液晶は、いずれも配向している。
【００４６】
アレイ基板３及び対向基板４は、絶縁基板３１及び４１上の構成部材が互いに対向するように配置されている。また、アレイ基板３及び対向基板４の間には複数のスペーサ（図示せず）が設けられ、アレイ基板３及び対向基板４は、所定の間隔を空けて配置されている。更に、アレイ基板３及び対向基板４の間には第一シール５１及び第二シール５２が形成されている。
【００４７】
第一及び第二シール５１及び５２は、途切れることなくループ状に、シール材（接着剤）から形成されており、アレイ基板３及び対向基板４の各々の内面に接触している。そして、第一及び第二シール５１及び５２は、アレイ基板３及び対向基板４を貼り合わせる（互いに接着する）とともに、第一及び第二液晶層５Ａ及び５Ｂの液晶を基板３及び４の間に封入している。なお、アレイ基板３又は対向基板４の内面とは、アレイ基板３又は対向基板４の一対の主面のうち、第一及び第二液晶層５Ａ及び５Ｂに対向する主面を意味し、アレイ基板３又は対向基板４の外面とは、アレイ基板３又は対向基板４の一対の主面のうち、第一及び第二液晶層５Ａ及び５Ｂと反対側の主面を意味する。
【００４８】
第一シール５１は、アレイ基板３及び対向基板４の一方（好ましくは対向基板４）の端部に沿って映像表示部６Ａを囲むように設けられている。
【００４９】
第二シール５２は、第一シール５１の内側に設けられ、映像表示部６Ａ及び透過部６Ｂの境界部分、すなわち遮光部６Ｃに沿って透過部６Ｂを囲むように設けられている。また、第二シール５２は、外部から視認されないように遮光部６Ｃ内に配置されている。
【００５０】
第一液晶層５Ａは、基板３及び４の間の領域であって第一及び第二シール５１及び５２で囲まれた（挟まれた）領域に液晶材料（液晶組成物）が充填されることによって形成されている。第一液晶層５Ａは、平面視において、少なくとも映像表示部６Ａの全領域に重なり、かつ、透過部６Ｂに重ならないように設けられている。
【００５１】
第二液晶層５Ｂは、基板３及び４の間の領域であって第二シールで囲まれた領域に液晶材料（液晶組成物）が充填されることによって形成されている。第二液晶層５Ｂは、平面視において、少なくとも透過部６Ｂの全領域に重なり、かつ、映像表示部６Ａに重ならないように設けられている。
【００５２】
第二液晶層５Ｂは、第二シール５２で囲まれており、第二液晶層５Ｂと第一液晶層５Ａとは、第二シール５２によって分離されている。そのため、第二液晶層５Ｂの液晶と第一液晶層５Ａの液晶とが互いに混ざらないようになっている。
【００５３】
第二シール５２の材料は、第一シール５１の材料と異なっていてもよいが、同じであることが好ましい。材料及び／又はシール材の塗布工程の共通化が可能となり、材料コスト及び／又は生産工程の増加を防止できるためである。
【００５４】
第二液晶層５Ｂと第一液晶層５Ａとが第二シール５２によって互いに分離されている構造は、滴下注入プロセスによって作製することが可能である。また、液晶表示パネル２は、アレイ基板の作製工程と、対向基板の作製工程と、液晶の滴下注入・基板の貼り合わせ工程とを含む、通常の液晶表示パネルの作製に必要な工程によって作製することができる。すなわち、製造工程数を増加させることなく液晶表示パネル２を製造することができる。
【００５５】
透過部６Ｂ及び映像表示部６Ａにおいて材料及び／又は配向処理工程の共通化を可能とし、材料コスト及び／又は生産工程の増加を防止する観点からは、以下の実施形態が好ましい。
すなわち、第二液晶層５Ｂ用の液晶材料は、第一液晶層５Ａ用の液晶材料と異なっていてもよいが、同じであることが好ましい。また、第二液晶層５Ｂの液晶は、第一液晶層５Ａの液晶と同様に配向していることが好ましい。第二液晶層５Ｂの配向状態は、第一液晶層５Ａの配向状態と異なっていてもよいが、第二液晶層５Ｂの液晶は、第一液晶層５Ａの液晶と同様に配向していることが好ましく、各配向膜３２、４４は、第一及び第二液晶層５Ａ及び５Ｂの液晶を同様に配向させることが好ましい。第一及び第二液晶層５Ａ及び５Ｂの配向状態としては、例えば、ツイスト配向、垂直配向、水平配向等が挙げられる。各配向膜３２、４４に配向処理が必要であれば、各配向膜３２、４４は、映像表示部６Ａ及び透過部６Ｂで同じように配向処理が施されていることが好ましい。配向処理としては、例えば、ラビング処理、光配向処理等が挙げられる。このとき、各配向膜３２、４４は、映像表示部６Ａ及び透過部６Ｂで同じ条件で配向処理が施されていることが好ましい。各配向膜３２、４４に配向処理が必要ない場合、例えば、各配向膜３２、４４が配向処理されなくとも液晶を垂直に配向させる垂直配向膜である場合は、各配向膜３２、４４は、映像表示部６Ａ及び透過部６Ｂで配向処理されていないことが好ましい。各配向膜３２、４４に対して配向処理を施すか否かについては、液晶表示パネル２の表示モードに応じて適宜、決定することができる。液晶表示パネル２の表示モードとしては、例えば、ＴＮ（Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＩＰＳ（Ｉｎ−Ｐｌａｎｅ  Ｓｗｉｔｃｈｉｎｇ）モード、ＦＦＳ（Ｆｒｉｎｇｅ  Ｆｉｅｌｄ  Ｓｗｉｔｃｈｉｎｇ）モード等が挙げられる。
【００５６】
なお、一般的に、配向した液晶の光散乱による透過率の低下は無視できる。そのため、配向した液晶を含む第二液晶層５Ｂにおける光散乱による透過率の低下も無視できる。
【００５７】
他方、第二液晶層５Ｂの液晶は、配向していなくてもよい。配向していない液晶は、白く濁った状態であり、配向した液晶に比べて透過率が低下する。配向の方向が異なる多数の微小な領域が発生し、それらの界面で光が散乱されるためである。透過部６Ｂの透過率を確保したい場合は、上述のように、第二液晶層５Ｂの液晶は、配向していることが好ましいが、透過部６Ｂの透過率が高くなくてもよい場合や、透過部６Ｂをすりガラスのような見栄えにする場合には、第二液晶層５Ｂの液晶は、配向していないことが好ましい。
【００５８】
第二液晶層５Ｂの液晶を配向させないためには、各配向膜３２、４４を配向処理が必要な材料から形成した場合には、透過部６Ｂに対応する領域において各配向膜３２、４４に配向処理を施さなければよい。また、配向膜３２及び４４を映像表示部６Ａに形成する一方で、配向膜３２及び４４の少なくとも一方を透過部６Ｂに形成しなくてもよい。
【００５９】
第二液晶層５Ｂの液晶が配向している場合も配向していない場合も、液晶の光吸収による透過率の低下は一般的に非常に小さいため、第二液晶層５Ｂにおける光吸収による透過率の低下はほとんどない。
【００６０】
液晶表示パネル２の前面（観察者側の面）及び背面（バックライト側の面、すなわち後方の面）上には、それぞれ、一対の偏光板１３及び１４が設けられている。すなわち、偏光板１３及び１４は、それぞれ、対向基板４の外面及びアレイ基板３の外面上に設けられている。偏光板１３及び１４の偏光方向は、第一液晶層５Ａの特性に合わせて適宜設定されている。偏光板１３及び１４は、通常、クロスニコル又はパラレルニコルに配置されている。
【００６１】
偏光板１３及び１４には、それぞれ、開口部１３Ａ及び１４Ａが形成されている。開口部１３Ａ及び１４Ａは、平面視において、透過部６Ｂの全領域に重なるように設けられており、開口部１３Ａ及び１４Ａの端部は、遮光部６Ｃに重なる場所に位置している。このように、偏光板１３及び１４は、透過部６Ｂの全領域に重ならず、かつ、映像表示部６Ａの全領域に重なるように設けられている。
【００６２】
ただし、開口部１３Ａ及び１４Ａの一方のみを形成し、偏光板１３及び１４の一方は、透過部６Ｂ及び映像表示部６Ａの全領域に重なるように設けられてもよい。
【００６３】
各偏光板１３、１４は、通常、直線偏光素子を含む直線偏光板である。直線偏光素子としては、典型的にはポリビニルアルコール（ＰＶＡ）フィルムに二色性を有するヨウ素錯体等の異方性材料を吸着配向させたものが挙げられる。機械強度、及び、耐湿熱性を確保するために、各偏光板１３、１４は、通常、ＰＶＡフィルムの両面に接着層を介してラミネートされた、トリアセチルセルロース（ＴＡＣ）フィルム等の保護フィルムを更に含む。
【００６４】
各偏光板１３、１４は、紫外光を遮光する機能を有することが好ましい。これにより、第一液晶層５Ａの液晶の紫外線による劣化を抑制することができる。偏光板１３及び１４に紫外光を遮光する機能を付与する具体的な方法は特に限定されず、例えば、保護フィルムとして、紫外線吸収剤が添加されたＴＡＣフィルムを用いる方法が挙げられる。
【００６５】
液晶表示装置１は、モノクロ表示を行うものであってもよいし、カラー表示を行うものであってもよい。カラー表示を行う場合、液晶表示パネル２の各画素７は、複数色のサブ画素、例えば赤（Ｒ）を表示する赤色画素、緑（Ｇ）を表示する緑色画素、青（Ｂ）を表示する青色画素を含み、対向基板４の絶縁基板４１上には複数色のカラーフィルタ、例えば赤色カラーフィルタ４５Ｒ、緑色カラーフィルタ４５Ｇ及び青色カラーフィルタ４５Ｂを含むカラーフィルタ層４５が形成されている。赤色、緑色及び青色カラーフィルタ４５Ｒ、４５Ｇ及び４５Ｂは、それぞれ、赤色、緑色及び青色の主波長の光を透過する。赤色画素、緑色画素及び青色画素は、それぞれ、赤色、緑色及び青色カラーフィルタ４５Ｒ、４５Ｇ及び４５Ｂを備えている。なお、カラーフィルタ層４５は、対向基板４の絶縁基板４１上ではなく、アレイ基板３の絶縁基板３１上に形成されていてもよい。
【００６６】
液晶表示パネル２は、矩形枠状のベゼルカバー１５と、面光源装置としてのバックライト１６との間に配置されている。すなわち、バックライト１６は、その表面（出射面）を液晶表示パネル２の背面（アレイ基板）に対向させた状態で、液晶表示パネル２とともにベゼルカバー１５と一体化されており、液晶表示パネル２をその背面側から照明する。
【００６７】
液晶表示パネル２に駆動信号を供給するドライバ回路１７は、フレキシブルなプリント配線基板１８を介して液晶表示パネル２に電気的に接続されている。ドライバ回路１７は、プリント配線基板１８を湾曲させることにより、バックライト１６の背面側に配置される。
【００６８】
図４は、実施形態１の液晶表示装置に含まれるバックライトの斜視分解模式図である。
図４に示すように、バックライト１６は、一対の光源部２０、導光板２１、光学シート２４〜２６、フレーム３０等の構成部材を備えている。各光源部２０は、光源としての冷陰極管２２と、ランプリフレクタ２３とを備えている。冷陰極管２２は、略矩形状の導光板２１の長手方向に延在する細長い円筒状の光源である。ランプリフレクタ２３は、冷陰極管２２から放射された光を導光板２１に向けて反射するものであり、冷陰極管２２の周囲を取り囲むように配置されている。
【００６９】
導光板２１は、アクリル系樹脂やポリカーボネート系樹脂等の光透過性を有する樹脂材料から形成されている。導光板２１は、略矩形状に成型されており、全体に亘って略均一な厚さに形成されている。
【００７０】
一対の光源部２０は、導光板２１の一対の長辺に沿って、それらの外側に配置されている。また、各冷陰極管２２は、導光板２１の長辺に沿った側面に対して略平行に配置されている。
【００７１】
導光板２１には、冷陰極管２２から放射され光が冷陰極管２２に対向する側面から入射する。導光板２１は、入射した光を伝搬し、液晶表示パネル２に対向する主面（出射面）から出射することが可能である。
【００７２】
光学シート２４は、導光板２１の外形寸法と略同等の略矩形状であり、導光板２１の出射面を覆うように配置されている。光学シート２４は、導光板２１から出射された光に対して所定の光学特性を付与するものであり、例えば、導光板２１からの出射光を集光する機能を有する集光シートである。
【００７３】
光学シート２６は、導光板２１の外形寸法と略同等の略矩形状であり、光学シート２４に重ねて配置されている。光学シート２６は、導光板２１から出射された光に対して所定の光学特性を付与するものであり、例えば、導光板２１からの出射光を拡散する機能を有する拡散シートである。
【００７４】
また、光学シート２５は、導光板２１の外形寸法と略同等の略矩形状であり、導光板２１の液晶表示パネル２と反対側の主面（背面）を覆うように配置されている。光学シート２５は、光を反射する反射機能を有した反射シートである。導光板２１に入射した光の一部は、背面から漏れ出るが、光学シート２５は、背面から漏れ出た光を再び導光板２１に向けて反射するものである。
【００７５】
フレーム３０は、略矩形状であり、光源部２０、導光板２１及び光学シート２４〜２６は、フレーム３０に収容されている。
【００７６】
上述したような構成のバックライト１６の出射面からは、均一化された光が出射され、液晶表示パネル２の背面に照射される。液晶表示パネル２に照射された光は、液晶表示パネル２の映像表示部６Ａを選択的に透過し得る。これにより、映像表示部６Ａにおいて映像が表示可能となる。
【００７７】
次に、液晶表示装置１を備える遊技機、例えばスロットマシンについて説明する。図５は、実施形態１の液晶表示装置を含む遊技機の断面模式図である。
【００７８】
図１及び５に示すように、液晶表示装置１を備える遊技機は、筐体６０と、液晶表示装置１と、表示が変化可能な表示媒体としての回転リール７０とを備えている。液晶表示装置１及び回転リール７０は、筐体６０の内部に配置されている。
【００７９】
回転リール７０は、回転軸Ｏを中心として回転可能な複数、例えば３個の円筒状のリール本体７１を備えている。各リール本体７１の円筒面には、等間隔に配置された複数の絵柄を有する帯状のリールテープ（図示せず）が貼付されている。
【００８０】
液晶表示装置１は、筐体６０の内部において、回転リール７０の前方（すなわち観察者側）に配置されている。液晶表示パネル２は、回転リール７０の前方に配置され、また、バックライト１６は、液晶表示パネル２と回転リール７０との間に配置されている。
【００８１】
筐体６０は、液晶表示装置１に表示された映像を目視可能とする窓部６１を有しており、窓部６１にガラス板等の光透過性を有する保護板６２が備えられている。
【００８２】
バックライト１６は、その略中央に回転リール７０の配置位置に対応して開口部１６Ａを有している。すなわち、図４及び５に示すように、導光板２１及びフレーム３０にはそれぞれ、回転リール７０に対向する開口部２１Ａ及び３０Ａが形成されている。また、光学シート２４及び２６もそれぞれ同様に、開口部２１Ａに対応した位置に開口部２４Ａ及び２６Ａが形成されている。更に、光学シート２５も同様に、開口部２１Ａに対応した位置に開口部２５Ａが形成されている。このようなバックライト１６の開口部１６Ａは、バックライト１６の後方に位置する回転リール７０上の所定数の絵柄を目視可能としている。これにより、バックライト１６を介することなく回転リール７０が目視可能になる。
【００８３】
上述したように、液晶表示パネル２は、映像表示部６Ａ及び透過部６Ｂを有し、図１に示したように、透過部６Ｂは、液晶表示パネル２と回転リール７０とを組み合わせた際に回転リール７０と対向する領域に形成されている。したがって、遊技者は、透過部６Ｂを通して液晶表示装置１の後方に配置された回転リール７０等の表示物を視認（目視）することが可能となる。
【００８４】
以下、本実施形態の液晶表示装置１の主な特徴と、それによる効果について説明する。
【００８５】
本実施形態においては、第二シール５２が透過部６Ｂに対応して設けられた第二液晶層５Ｂを囲み、第二液晶層５Ｂは、第二シール５２によって、映像表示部に対応して設けられた第一液晶層５Ａと隔てられている。このため、第二液晶層５Ｂの液晶が第一液晶層５Ａの液晶と混ざらないようにすることができる。したがって、偏光板１３の開口部１３Ａ及び／又は偏光板１４の開口部１４Ａを通して第二液晶層５Ｂに紫外光が照射され、第二液晶層５Ｂの液晶が劣化したとしても、この劣化した、すなわち信頼性が低下した液晶が第一液晶層５Ａへ拡散することを防止することができる。その結果、映像表示部６Ａにおいて、劣化した液晶を原因とするシミ、ムラ等の表示不良の発生を防止することができる。
【００８６】
また、第二液晶層５Ｂと第一液晶層５Ａとが、第二液晶層５Ｂを囲む第二シールによって隔てられているため、本実施形態の液晶表示装置１を長期間使用したとして、劣化した液晶が映像表示部６Ａに拡散することを防止することができる。したがって、長期信頼性の向上が可能である。
【００８７】
更に、透過部６Ｂに対応して第二液晶層５Ｂが配置されているため、第二液晶層５Ｂの代わりに空気層を配置した場合と異なり、以下の効果を奏することができる。
【００８８】
（１）液晶の滴下注入・基板の貼り合わせ工程において、硬化前の第二シール５２の材料の内側と外側に液晶材料が存在するため、硬化前の第二シール５２の材料に内側と外側からかかる圧力の差を小さくすることができる。したがって、シール切れやシール吹き出しといったシール不良が第二シール５２で発生することを抑制することができる。そのため、映像表示部６Ａにおけるシミ、ムラ、点灯不良等の表示不良の発生を抑制することができる。また、透過部６Ｂにおける透過率のムラの発生を抑制することができるため、透過部６Ｂにおける視認性を向上することができる。
【００８９】
（２）第二液晶層５Ｂの液晶材料及び各配向膜３２、４４の材料として、絶縁基板３１及び４１の材料、例えばガラスと屈折率が合うような材料を選定することが可能であるため、液晶表示パネル２内の界面、例えば各配向膜３２、４４及び第二液晶層５Ｂの界面における反射を抑制することができる。このため、透過部６Ｂにおける視認性を向上することが可能である。すなわち、透過部６Ｂの透過率を向上でき、液晶表示装置１の後方の表示物の視認性を向上することが可能である。また、透過部６Ｂにおいてニュートンリングを視認されにくくすることができるため、透過部１０６Ｂの表示品位を向上することができる。
【００９０】
（３）透過部６Ｂにおいてセル内圧（アレイ基板３及び対向基板４に対してアレイ基板３及び対向基板４の間の領域からかかる圧力）と外気圧との差が緩和されるため、透過部６Ｂのスペーサの数を増加させなくても、映像表示部６Ａ及び透過部６Ｂにおいて、セル厚の均一性を確保することができる。したがって、映像表示部６Ａにおける表示品位を向上することができる。また、透過部６Ｂにおいて、透過率の低下を防止ができるとともにニュートンリングの発生を抑制することができるため、透過部６Ｂにおける視認性を向上することができる。更に、透過部６Ｂのスペーサの数を削減したとしてもセル厚を保持できるため、透過部６Ｂの透過率を向上することができる。なお、透過部６Ｂのスペーサの数を削減する実施形態については、下記実施形態３で詳述する。
【００９１】
（４）透過部６Ｂにおいてセル内圧と外気圧との差が緩和されるため、透過部６Ｂのスペーサが配置された場所において、絶縁基板３１及び／又は４１上の構成部材、例えばＢＭ４２やカラーフィルタ層４５を削減するか、又は、必要最小限にしたとしても、セル厚を保持することができる。そのため、透過部６Ｂの開口率及び透過率を向上することができる。なお、透過部６Ｂのスペーサが配置された場所において、絶縁基板３１及び／又は４１上の構成部材を削減する実施形態については、下記実施形態３で詳述する。
【００９２】
以上より、本実施形態によれば、映像表示部６Ａにおける表示不良の抑制と、映像表示部６Ａ及び透過部６Ｂにおける表示品位の向上と、透過部６Ｂにおける視認性の向上と、長期信頼性の向上とが可能である。
【００９３】
また、一対の偏光板１３及び１４の少なくとも一方は、透過部６Ｂに重ならず、かつ、映像表示部６Ａに重なるように設けられている。このため、透過部６Ｂの透過率を更に向上することが可能であり、液晶表示装置１の後方の表示物の視認性を更に向上することができる。
【００９４】
（実施形態２）
本実施形態は、アレイ基板及び対向基板の透過部におけるパターンが異なることを除いて、実施形態１と実質的に同じである。したがって、本実施形態では、本実施形態に特有の特徴について主に説明し、実施形態１と重複する内容については説明を省略する。また、本実施形態と実施形態１とにおいて、同一又は同様の機能を有する部材には同一の符号を付し、本実施形態において、その部材の説明は省略する。
図６は、実施形態２の液晶表示装置に含まれる液晶表示パネルの断面模式図である。図７は、実施形態２の液晶表示装置に含まれる液晶表示パネルの平面模式図である。
【００９５】
本実施形態においても、実施形態１と同様に、透過部６Ｂでは液晶を利用した映像の表示は行われない。そのため、映像表示部６Ａに設けられたパターンと同様のパターンが透過部６Ｂに設けられていなくても特に問題はない。そこで、図６に示すように、対向基板４の絶縁基板４１上に設けられた構成部材（ＢＭ４２、カラーフィルタ層４５、対向電極１２等）の一部又は全部が透過部６Ｂにおいて削除されている。また、アレイ基板３の絶縁基板３１上に設けられた構成部材（画素電極１１、ＴＦＴ１０、配線等）の一部又は全部が透過部６Ｂにおいて削除されている。このため、本実施形態は、実施形態１に比べて、透過部６Ｂの透過率をより向上させることができる。
【００９６】
例えば、透過部６Ｂにおいて、絶縁基板４１上にはＢＭ４２、カラーフィルタ層４５及び対向電極１２が設けられていなくてもよく、透過部６Ｂにおいて、絶縁基板３１上には画素電極１１、ＴＦＴ１０及び配線（走査線や信号線）が設けられていなくてもよい。
【００９７】
他方、絶縁基板３１及び／又は４１上には、透過部６Ｂにおいて、映像表示部６Ａとは異なるパターンが設けられてもよい。
【００９８】
例えば、透過部６Ｂにおいて、絶縁基板３１及び／又は４１上には後方の表示物の表示を補助する文字等のパターンを配置してもよい。
【００９９】
また、図７に示すように、映像表示部６Ａに必要な信号用配線２０８、例えば、走査線や信号線の形状、配置場所及び／又は線幅を透過部６Ｂと映像表示部６Ａとで変化させてもよい。例えば、信号用配線２０８は、映像表示部６Ａを横断する配線２０８Ａと、透過部６Ｂを迂回しつつ映像表示部６Ａを横断する配線２０８Ｂとを含んでもよく、配線２０８Ｂは、透過部６Ｂの周辺に配置されてもよく、配線２０８Ｂの線幅は、配線２０８Ａの線幅よりも小さくてもよい。
【０１００】
また一般的に、液晶にＤＣ（直流）電圧が印加されると液晶が劣化する可能性がある。しかしながら、第二液晶層５Ｂの液晶と第一液晶層５Ａの液晶は、実施形態１と同様に、第二シール５２で区切られているため、第二液晶層５Ｂの液晶がＤＣ電圧の印可によって劣化したとしても、その影響が映像表示部６Ａに及ぶことを防止することができる。したがって、第二液晶層５Ｂの液晶に印加される電圧を考慮する必要がなく、透過部６Ｂに任意の電極及び／又は配線のパターンを設けてもよい。
【０１０１】
以上説明したように、アレイ基板３及び対向基板４の少なくとも一方の構造を映像表示部６Ａ及び透過部６Ｂで互いに異ならせることによって、透過部６Ｂの透過率を調整したり、後方の表示物の見栄えを良くしたりすることが可能になる。
【０１０２】
（実施形態３）
本実施形態は、スペーサの配置部分における構造が異なることを除いて、実施形態１と実質的に同じである。したがって、本実施形態では、本実施形態に特有の特徴について主に説明し、実施形態１と重複する内容については説明を省略する。また、本実施形態と実施形態１とにおいて、同一又は同様の機能を有する部材には同一の符号を付し、本実施形態において、その部材の説明は省略する。
図８及び９は、実施形態３の液晶表示装置に含まれる液晶表示パネルの断面模式図である。
【０１０３】
図８及び９に示すように、本実施形態の液晶表示パネル２は、映像表示部６Ａに設けられた複数の第一スペーサ５３と、透過部６Ｂに設けられた複数の第二スペーサ５４とを含んでいる。第一及び第二スペーサ５３及び５４は、それぞれ、映像表示部６Ａ及び透過部６Ｂにおいてセル厚を保持するための部材である。第一及び第二スペーサ５３及び５４は、いずれも柱状のスペーサであり、例えば感光性材料から形成されている。
【０１０４】
透過部６Ｂでは第二液晶層５Ｂの液晶の屈折率異方性を利用した表示は行われないため、映像表示部６Ａほどセル厚の均一性は要求されない。また、透過部６Ｂにおいてセル厚ムラによるニュートンリングが視認されない範囲であって、映像表示部６Ａのセル厚の均一性に悪影響を与えない範囲であれば、透過部６Ｂのセル厚が不均一であっても表示品位に悪影響を与えない。更に、透過部６Ｂに対応して第二液晶層５Ｂが設けられているため、透過部６Ｂにおいてセル内圧と外気圧との差が緩和され、透過部６Ｂにおいてセル厚を保持しやすい。
【０１０５】
このため、図８に示すように、映像表示部６Ａのセル厚の均一性に悪影響を与えない範囲で、第二スペーサ５４の配置密度及び／又は接触面積を削減してもよい。これにより、実施形態１に比べて、透過部６Ｂの開口率及び透過率をより向上させることができる。また、第二スペーサ５４の配置密度及び／又は接触面積を削減した結果として、映像表示部６Ａに比べて透過部６Ｂにおいてセル厚がやや薄くなってもよい。
【０１０６】
また、透過部６Ｂに対応して第二液晶層５Ｂが設けられているため、透過部６Ｂにおいてセル内圧と外気圧との差が緩和され、透過部６Ｂにおいてセル厚が保持されやすい。したがって、図９に示すように、映像表示部６Ａのセル厚の均一性に悪影響を与えない範囲で、第二スペーサ５４の配置場所において、絶縁基板３１及び／又は４１上の構成部材、好ましくは、対向基板４のＢＭ４２及びカラーフィルタ層や、アレイ基板３の金属配線等の遮光部材及び／又は着色部材を削除してもよい。これにより、実施形態１に比べて透過部６Ｂの開口率及び透過率をより向上させることができる。また、第二スペーサ５４の配置場所における構成部材を削除した結果として、映像表示部６Ａに比べて透過部６Ｂにおいてセル厚がやや薄くなってもよい。
【０１０７】
このように、透過部６Ｂの透過率向上の観点からは、図８に示すように、複数の第二スペーサ５４の配置密度及び／又は接触面積は、それぞれ、複数の第一スペーサ５３の配置密度及び／又は接触面積よりも小さくてもよい。
【０１０８】
なお、複数の第二スペーサ５４の配置密度及び／又は接触面積をそれぞれ複数の第一スペーサ５３の配置密度及び／又は接触面積からどの程度小さくするかは、映像表示部６Ａのセル厚の均一性に悪影響を与えない範囲であれば特に限定されず、適宜決定することができる。
【０１０９】
また、複数の第一スペーサ５３の配置密度とは、第一スペーサ５３の総数を映像表示部１Ａの面積で除した値であり、複数の第二スペーサ５４の配置密度とは、第二スペーサ５４の総数を透過部６Ｂの面積で除した値である。
【０１１０】
また、複数の第一スペーサ５３の接触面積とは、平面視において、複数の第一スペーサ５３が占める領域の面積の平均値であり、複数の第二スペーサ５４の接触面積とは、平面視において、複数の第二スペーサ５４が占める領域の面積の平均値である。
【０１１１】
また、透過部６Ｂの透過率向上の観点からは、アレイ基板３は、絶縁基板３１及び第一スペーサ５３の間に構成部材（例えば金属配線）を含む一方で、絶縁基板３１及び第二スペーサ５４の間には、この構成部材と同じ材料から形成された構成部材（例えば金属配線）を含まなくてもよい。
【０１１２】
同様の観点からは、図９に示すように、対向基板４は、絶縁基板４１及び第一スペーサ５３の間に構成部材（例えばＢＭ４２）を含む一方で、絶縁基板４１及び第二スペーサ５４の間には、この構成部材と同じ材料から形成された構成部材（例えばＢＭ４２）を含まなくてもよい。
【０１１３】
なお、透過部６Ｂにおいて絶縁基板３１及び／又は４１上からどの構成部材を削除するかは、映像表示部６Ａのセル厚の均一性に悪影響を与えない範囲であれば特に限定されず、適宜決定することができる。
【０１１４】
他方、セル厚を確実に保持する観点からは、第二スペーサ５４の配置場所における絶縁基板３１及び４１上の構造は、それぞれ、第一スペーサ５３の配置場所における絶縁基板３１及び４１上の構造と同じであることが好ましい。
【０１１５】
また、透過部６Ｂにおける対向基板４及び／又はアレイ基板３の構造、複数の第二スペーサ５４の配置密度及び／又は接触面積等の条件に合わせて、液晶材料の滴下量を映像表示部６Ａと透過部６Ｂとで変更してもよい。これにより、透過部６Ｂにおける液晶材料の滴下量を最適化することができ、透過部６Ｂにおけるセル厚の均一性を更に向上することができる。
【０１１６】
以下、比較形態に係る液晶表示装置について説明する。
【０１１７】
（比較形態１）
本比較形態の液晶表示装置に含まれる液晶表示パネルでは、透過部においてアレイ基板及び対向基板の間に、第二液晶層の代わりにシール材が充填されている。しかしながら、シール材の材料設計は、光学特性を考慮して行われていないため、シール材の透過率は非常に低い。また、シール材の屈折率は、ガラスの屈折率に合うように考慮されていないため、透過部の透過率が大幅に低下する。更に、シール材をアレイ基板又は対向基板上に描画した後、アレイ基板と対向基板でシール材を挟んで加圧し、セル厚に見合ったシールの厚みを決定するが、透過部の全域に配置されたシール材と、通常幅のシール材（例えば対向基板の端部に沿って配置されたシール材）とでは、加圧の際の圧縮され方が違う（透過部のシール材は圧縮されたり広がったりしにくい）ため、セル厚ムラが発生する。
【０１１８】
（比較形態２）
本比較形態の液晶表示装置に含まれる液晶表示パネルでは、透過部においてアレイ基板及び対向基板の間に、第二液晶層の代わりにスペーサ材が充填されている。しかしながら、スペーサ材の材料設計は、光学特性を考慮して行われていないため、スペーサ材の透過率は非常に低い。また、スペーサ材の屈折率は、ガラスの屈折率に合うように考慮されていないため、透過部の透過率が大幅に低下する。更に、映像表示部のスペーサの径と、透過部にスペーサ材を充填して形成されたスペーサの径とが互いに大きく異なるため、アレイ基板と対向基板を貼り合せた際に、映像表示部と透過部との間でスペーサの厚みの圧縮のされ方が異なり、セル厚ムラが発生する。なお、この圧縮率の差をあらかじめ見越して、映像表示部と透過部とでスペーサの高さを互いに異ならせることも考えられるが、このためには、スペーサ形成工程に余分な工程を追加する必要が生じる。
【０１１９】
（比較形態３）
本比較形態の液晶表示装置に含まれる液晶表示パネルは、透過部においてアレイ基板及び対向基板の間に、第二液晶層の代わりに特別に用意した材料が充填されている。しかしながら、通常のパネル製造工程では使用しない材料（光学特性と、セル厚ムラが発生しないように粘度とを考慮した材料）を導入する必要があり、液晶の滴下注入工程とは別に、この材料を充填する工程が必要になる。
【０１２０】
このように、比較形態１〜３の液晶表示装置には種々のデメリットがあるため、その実用性は非常に低い。それに対して、実施形態１〜３の液晶表示装置は、新規な工程及び材料の導入なしに実現可能であり、その実用性は非常に高い。また、実施形態１〜３は、比較形態１〜３に比べて、セル厚ムラに起因する表示不良の発生が少ないという点で優位性がある。
【０１２１】
なお、実施形態１〜３では、遊技機用の液晶表示装置について説明したが、各実施形態の液晶表示装置の用途は特に限定されず、例えば、車載用途であってもよく、液晶表示装置の後方に表示物としてメーターを配置してもよい。
【０１２２】
また、各実施形態の液晶表示装置の後方には必ずしも表示物を配置する必要はなく、透過部を通して後方、例えば背景を視認できるようにしてもよい。
【０１２３】
更に、各実施形態において、透過部及び映像表示部のレイアウトは特に限定されず、適宜設定することができる。ここで、透過部及び映像表示部のレイアウトの変形例について説明する。
図１０〜１２は、実施形態１〜３の液晶表示装置に含まれる液晶表示パネルの変形例の平面模式図である。
【０１２４】
図１０に示すように、２以上の透過部６Ｂを設け、各透過部６Ｂに対応して第二液晶層５Ｂを設け、各第二液晶層５Ｂを囲むように第二シール５２を設けてもよい。
【０１２５】
また、図１１及び１２に示すように、透過部６Ｂの全周囲に映像表示部６Ａを設けずに、透過部６Ｂの周囲の一部にのみ映像表示部６Ａを設けてもよい。この場合、第一液晶層５Ａを囲むとともに、第二液晶層５Ｂを囲むシール５０を形成してもよい。シール５０は、上述の第一シールに相当し、第一液晶層５Ａを囲む第一シール部分５１と、上述の第二シールに相当し、第二液晶層５Ｂを囲む第二シール部分５２とを含んでいる。また、シール５０の一部であって透過部６Ｂ及び映像表示部６Ａの境界部分に配置された部分は、第一及び第二液晶層５Ａ及び５Ｂのいずれにも隣接している。
【０１２６】
更に、実施形態１〜３では、透過型の液晶表示装置について説明したが、各液晶表示装置の液晶表示パネルは、反射型又は半透過型の液晶表示装置であってよく、外光を反射することで表示を行う反射表示部を備えていてもよい。反射型の場合は、バックライトを設けなくてよい。
【０１２７】
上述した実施形態は、本発明の要旨を逸脱しない範囲において、適宜組み合わされてもよい。また、各実施形態の変形例は、他の実施形態に組み合わされてもよい。
【符号の説明】
【０１２８】
１：液晶表示装置
２：液晶表示パネル
３：アレイ基板
４：対向基板
５Ａ：第一液晶層
５Ｂ：第二液晶層
６Ａ：映像表示部
６Ｂ：透過部
６Ｃ：遮光部
７：画素
８：走査線
９：信号線
１０：薄膜トランジスタ（ＴＦＴ）
１０Ｇ：ゲート電極
１０Ｓ：ソース電極
１０Ｄ：ドレイン電極
１１：画素電極
１２：対向電極
１３、１４：偏光板
１３Ａ、１４Ａ：偏光板の開口部
１５：ベゼルカバー
１６：バックライト
１６Ａ：バックライトの開口部
１７：ドライバ回路
１８：プリント配線基板
２０：光源部
２１：導光板
２１Ａ：導光板の開口部
２２：冷陰極管
２３：ランプリフレクタ
２４〜２６：光学シート
２４Ａ〜２６Ａ：光学シートの開口部
３０：フレーム
３０Ａ：フレームの開口部
３１、４１：絶縁基板
３２、４４：配向膜
４２：ブラックマトリクス（ＢＭ）
４３：遮光膜
４５：カラーフィルタ層
４５Ｒ：赤色カラーフィルタ
４５Ｇ：緑色カラーフィルタ
４５Ｂ：青色カラーフィルタ
５０：シール
５１：第一シール（第一シール部分）
５２：第二シール（第二シール部分）
５３：第一スペーサ
５４：第二スペーサ
６０：筐体
６１：窓部
６２：保護板
７０：回転リール
７１：リール本体
２０８：信号用配線
２０８Ａ：配線
２０８Ｂ：配線
【図１】
2015045694.tif 000003
【図２】
2015045694.tif 000004
【図３】
2015045694.tif 000005
【図４】
2015045694.tif 000006
【図５】
2015045694.tif 000007
【図６】
2015045694.tif 000008
【図７】
2015045694.tif 000009
【図８】
2015045694.tif 000010
【図９】
2015045694.tif 000011
【図１０】
2015045694.tif 000012
【図１１】
2015045694.tif 000013
【図１２】
2015045694.tif 000014
【図１３】
2015045694.tif 000015
【図１４】
2015045694.tif 000016
【図１５】
2015045694.tif 000017
【図１６】
2015045694.tif 000018
【国際調査報告】
2015045694.tif 000019
2015045694.tif 000020
2015045694.tif 000021
2015045694.tif 000022